(57)【要約】【課題】インジケーター及び絵柄のいずれについても、視認し易い使い捨ておむつを提供すること。【解決手段】液透過性の表面シート２、液難透過性の裏面シート３、及びこれらシート間に配された吸収体４を備え、該裏面シート３と該吸収体４との間に、色の変化により排尿を知らせるホットメルト組成物からなるインジケーター７が配され、腹側部Ａと背側部Ｂとその間に位置する股下部Ｃとを有する使い捨ておむつ１であり、少なくとも股下部Ｃにおいて、インジケーター７は、おむつを幅方向に２等分するおむつ長手方向中央線ＣＬと重ならないように、該中央線ＣＬの左右の何れか一方の側にずらして配されており、おむつの外部から視認可能な絵柄Ｄ１が、該中央線ＣＬに対して左右非対称に配されている。【選択図】図４
2012223231.tif 000002
【特許請求の範囲】
【請求項１】
液透過性の表面シート、液難透過性の裏面シート、及びこれらシート間に配された吸収体を備え、該裏面シートと該吸収体との間に、色の変化により排尿を知らせるホットメルト組成物からなるインジケーターが配され、腹側部と背側部とその間に位置する股下部とを有する使い捨ておむつであって、
少なくとも股下部において、前記インジケーターは、おむつを幅方向に２等分するおむつ長手方向中央線と重ならないように、該中央線の左右の何れか一方の側にずらして配されており、おむつの外部から視認可能な絵柄が、該中央線に対して左右非対称に配されている、使い捨ておむつ。
【請求項２】
おむつの外部から視認可能な絵柄が、前記中央線に対して、前記インジケーターが配された側とは反対側に配されており、該絵柄の一部が、前記中央線と重なっている請求項１記載の使い捨ておむつ。
【請求項３】
股下部における前記吸収体の幅方向中央部に、該吸収体の長手方向に延びるように中央低坪量部が形成されており、前記インジケーターが、該中央低坪量部と重ならないように配されている、請求項１又は２記載の使い捨ておむつ。
【請求項４】
股下部における前記吸収体の左右両側に、該吸収体の両側縁それぞれから離間させて一対の屈曲誘導部が設けられており、前記インジケーターは、前記中央線と該屈曲誘導部との間に配されている、請求項１〜３の何れか１項記載の使い捨ておむつ。
【請求項５】
液透過性の表面シート、液難透過性の裏面シート、及びこれらシート間に配された吸収体を備え、該裏面シートと該吸収体との間に、色の変化により排尿を知らせるホットメルト組成物からなるインジケーターが配され、腹側部と背側部とその間に位置する股下部とを有しており、股下部における前記吸収体の幅方向中央部に、該吸収体の長手方向に延びるように中央低坪量部が形成されており、前記インジケーターが、該中央低坪量部と重ならないように配されている使い捨ておむつの製造方法であって、
前記中央低坪量部を有する前記吸収体を含む構造体を、前記裏面シートの原反と重ね合わせて長尺構造体を得る積層工程、該長尺構造体を所定長さに切断して短尺構造体とすると共に、該短尺構造体の向きを、前記吸収体の向きが、搬送方向に対して横向きとなる向きに変更する向き転換工程、及び向き転換後の短尺構造体を搬送しつつ、該短尺構造体を上下から加圧する加圧工程を具備しており、
前記積層工程においては、前記インジケーターを、前記中央低坪量部の左右何れか一方の側にずらして塗工し、前記向き転換工程においては、該インジケーターが該中央低坪量部よりも搬送方向の後方に位置するように、前記短尺構造体を回転させる、使い捨ておむつの製造方法。
【請求項６】
前記吸収体は、吸収性コア及び該吸収性コアを被覆するコアラップシートを有しており、前記吸収体は、幅方向中央部にコア形成材料の坪量が高い高坪量部、その両側にコア形成材料の坪量が低い低坪量部を有しており、前記中央低坪量部が、該高坪量部の幅方向中央部に形成されている、請求項５記載の使い捨ておむつの製造方法。
【発明の詳細な説明】
【技術分野】
【０００１】
本発明は、使い捨ておむつに関する。
【背景技術】
【０００２】
従来、装着者が排泄したか否かを色により判断するインジケーターを備えた使い捨ておむつが知られている。例えば、特許文献１には、吸収性コアと裏面シートとの間に、水分と接触すると視覚的に変化する親水性の組成物、所謂インジケーターが配されている使い捨ておむつが記載されている。
【０００３】
また、特許文献２には、股下部における吸収性コアを、中央領域及びその両側の側部領域に区分したときの、中央領域における吸収性コアと裏面シートとの間、及び側部領域における吸収性コアと裏面シートとの間のそれぞれに、インジケーターを配した使い捨ておむつが記載されている。
【０００４】
また、使い捨ておむつに絵柄を配して意匠性を高めることも広く行われており、例えば、特許文献３には、おむつの外面から視認できる前面及び／又は背面に、動物、植物、昆虫等の特定の観念を想起させる図形を、それに関連する知育表示と共に設けることが記載されている。
【先行技術文献】
【特許文献】
【０００５】
【特許文献１】特開２００５−２１３９０号公報
【特許文献２】特開２００７−２６７９４２号公報
【特許文献３】特開２００４−１２１８７１号公報
【発明の概要】
【発明が解決しようとする課題】
【０００６】
しかし、特許文献１及び２の使い捨ておむつにおいては、インジケーターが、おむつを幅方向に２等分するおむつ長手方向中央線に沿って配されており、該中央線上に絵柄を配すると、インジケーターの変色を視認しづらくなって、排尿を的確に把握することができなくなったり、インジケーターの色と絵柄の色との干渉により、使用前から変色しているような印象を与え、不良品ではないかと疑われたりする恐れがある。他方、おむつ長手方向中央線上を避けて図形を配する場合には、その両側に配する絵柄が小さくなってしまう等により、子供も親も視認しやすい大型の図形を配することできなくなる。
【０００７】
また、特許文献１に記載の使い捨ておむつのインジケーターの組成物は、水分と接触すると視覚的に変化する変色物質と粘着性物質とを混合して形成されたものであり、特許文献１に記載の使い捨ておむつのインジケーターは、このように形成された組成物を、吸収性コア又は裏面シートの表面に塗布することにより、吸収性コア又は裏面シートの表面に固定されている。
しかし、本発明者らは、吸収体の幅方向中央部に中央低坪量部を有し、それと重なるインジケーターを有する使い捨ておむつを製造しようとしたところ、吸収体又はそれに対向するシートに直線状にインジケーターを塗工したとしても、完成した使い捨ておむつにおいては、そのインジケーターに乱れが生じやすいことが判明した。
【０００８】
従って、本発明の課題は、インジケーター及び絵柄のいずれについても、視認し易い使い捨ておむつを提供することにある。
また、本発明の課題は、インジケーターの位置が乱れにくい使い捨ておむつの製造方法を提供することにある。
【課題を解決するための手段】
【０００９】
本発明は、液透過性の表面シート、液難透過性の裏面シート、及びこれらシート間に配された吸収体を備え、該裏面シートと該吸収体との間に、色の変化により排尿を知らせるホットメルト組成物からなるインジケーターが配され、腹側部と背側部とその間に位置する股下部とを有する使い捨ておむつであって、少なくとも股下部において、前記インジケーターは、おむつを幅方向に２等分するおむつ長手方向中央線と重ならないように、該中央線の左右の何れか一方の側にずらして配されており、おむつの外部から視認可能な絵柄が、該中央線に対して左右非対称に配されている、使い捨ておむつを提供するものである。
【００１０】
本発明は、液透過性の表面シート、液難透過性の裏面シート、及びこれらシート間に配された吸収体を備え、該裏面シートと該吸収体との間に、色の変化により排尿を知らせるホットメルト組成物からなるインジケーターが配され、腹側部と背側部とその間に位置する股下部とを有しており、股下部における前記吸収体の幅方向中央部に、該吸収体の長手方向に延びるように中央低坪量部が形成されており、前記インジケーターが、該中央低坪量部と重ならないように配されている使い捨ておむつの製造方法であって、前記中央低坪量部を有する前記吸収体を含む構造体を、前記裏面シートの原反と重ね合わせて長尺構造体を得る積層工程、該長尺構造体を所定長さに切断して短尺構造体とすると共に、該短尺構造体の向きを、前記吸収体の向きが、搬送方向に対して横向きとなる向きに変更する向き転換工程、及び向き転換後の短尺構造体を搬送しつつ、該短尺構造体を上下から加圧する加圧工程を具備しており、前記積層工程においては、前記インジケーターを、前記中央低坪量部の左右何れか一方の側にずらして塗工し、前記向き転換工程においては、該インジケーターが該中央低坪量部よりも搬送方向の後方に位置するように、前記短尺構造体を回転させる、使い捨ておむつの製造方法を提供するものである。
【発明の効果】
【００１１】
本発明によれば、インジケーター及び絵柄のいずれについても、視認し易い使い捨ておむつを提供することができる。
本発明によれば、インジケーターの位置が乱れにくい使い捨ておむつの製造方法を提供することができる。
【図面の簡単な説明】
【００１２】
【図１】図１は、本発明の第１実施形態であるパンツ型使い捨ておむつの着用状態を示す斜視図である。
【図２】図２は、図１に示すパンツ型使い捨ておむつの展開且つ伸長状態を肌対向面側から見た一部破断平面図である。パンツ型使い捨ておむつについての展開且つ伸長状態は、サイドシール部を引き剥がして、パンツ型使い捨ておむつを展開状態とし、その展開状態のおむつを、各部の弾性部材を伸長させて、設計寸法（弾性部材の影響を一切排除した状態で平面状に広げたときの寸法と同じ）となるまで拡げた状態をいう。
【図３】図３は、図２のＩＩＩ−ＩＩＩ線断面図である。
【図４】図４は、図１に示すパンツ型使い捨ておむつの展開且つ伸長状態を非肌対向面側から見た模式平面図である。
【図５】本発明の使い捨ておむつの製造工程の一実施態様の概略を示す模式斜視図である。
【図６】本発明の製造方法の一実施態様における、（ａ）積層工程及び（ｂ）向き転換工程を示す説明図である。
【図７】中央低坪量部を有する吸収体を含む構造体の一例を示す断面図である。
【図８】図８は、本発明における左右非対称の説明図である。
【発明を実施するための形態】
【００１３】
以下に、本発明をその好ましい実施形態に基づき図面を参照しながら説明する。
本発明の第１実施形態である使い捨ておむつ１（以下、おむつ１ともいう）は、図１〜図３に示すように、液透過性の表面シート２、液難透過性、即ち液不透過性又は撥水性の裏面シート３、及びこれら両シート２，３間に配された縦長の吸収体４を備え、裏面シート３と吸収体４との間に、色の変化により排尿を知らせるホットメルト組成物からなるインジケーター７が配され、腹側部Ａと背側部Ｂとその間に位置する股下部Ｃとを有する。
【００１４】
おむつ１は、図１〜図３に示すように、長手方向中央線ＣＬに対して左右対称に形成されている。おむつ長手方向の中央線ＣＬは、図２に示すように、おむつを幅方向（Ｘ方向）に２等分する線であって、おむつ長手方向（Ｙ方向）に沿って延びる線である。おむつ１は、図１及び図２に示すように、着用時に着用者の腹側に配される腹側部Ａ、背側に配される背側部Ｂ及びそれらの間に位置して股間部に配される股下部Ｃを有している。おむつの長手方向は、腹側部Ａから股下部Ｃを経て背側部Ｂに亘る方向又はその逆方向であり、図２中のＹ方向である。おむつの幅方向は、図２に示すような展開且つ伸長状態において、Ｙ方向と略直交する方向である。本実施形態のおむつ１においては、おむつ１の長手方向、吸収体４の長手方向、吸収性コア４０の長手方向は、何れも図２中のＹ方向である。また、本明細書において、「上面」と「肌対向面」とは同じ面を意味し、「下面」と「非肌対向面」とは同じ面を意味する。尚、「肌対向面」とは、おむつ又はおむつを構成する各部材の表裏両面のうち、装着時に装着者の肌側に配される面であり、非肌対向面とは、おむつ又はおむつを構成する各部材の表裏両面のうち、装着時に装着者の肌側とは反対側に向けられる面である。
以下、具体的に、おむつ１について説明する。
【００１５】
おむつ１は、いわゆるパンツ型の使い捨ておむつであり、図１〜図３に示すように、表面シート２、裏面シート３、及びこれら両シート２，３間に配された吸収体４を具備する吸収性本体５（後述する短尺構造体）と、吸収性本体５の非肌対向面側に位置して吸収性本体５を固定している外包材１０とを備えている。吸収体４は、該吸収体４と同方向に長い吸収性コア４０を内部に含んでいる。外包材１０は、腹側部Ａの両側縁部と背側部Ｂの両側縁部とが接合されており、それによって、おむつ１に、一対のサイドシール部Ｓ，Ｓ、ウエスト開口部ＷＯ及び一対のレッグ開口部ＬＯ，ＬＯが形成されている。
【００１６】
本実施形態のおむつ１における腹側部Ａ及び背側部Ｂは、おむつの幅方向（図２中Ｙ方向）の両端にサイドシール部Ｓ，Ｓを有する部分である。
【００１７】
吸収体４は、図３に示すように、吸収性コア４０と、吸収性コア４０の上下面及び両側面を被覆するコアラップシート４５とを有している。詳述すると、おむつ１における吸収性コア４０は、図２，図３に示すように、股下部Ｃにおける幅方向（Ｘ方向）中央部に高坪量部４１を有し、高坪量部４１の両側に高坪量部４１より低坪量の低坪量部４２を有している。高坪量部４１は、おむつ１の長手方向中央線ＣＬに沿って延びている。おむつ１の吸収性コア４０は、図２に示すように、腹側部Ａ側の方が背側部Ｂより幅の広い平面視して略Ｔ字状の上部吸収層４１１と、上部吸収層４１１より長手方向（Ｙ方向）及び幅方向（Ｘ方向）の寸法が大きい矩形状の下部吸収層４１２とを有しており、下部吸収層４１２上に上部吸収層４１１が積層されている部分が高坪量部４１、下部吸収層４１２上に上部吸収層４１１が積層されていない部分が低坪量部４２となっている。
上部吸収層４１１は、おむつ１の股下部Ｃから腹側部Ａに亘って配されており、上部吸収層４１１及び高坪量部４１は、何れも股下部Ｃの幅方向（Ｘ方向）中央部付近から腹側部Ａに向かって幅が拡大（漸増）している。下部吸収層４１２は、股下部Ｃを縦断して腹側部Ａ及び背側部Ｂに亘っている。尚、おむつ１における吸収性コア４０は、上述したように、上部吸収層４１１及び下部吸収層４１２の多層から形成されているが、単層で形成されていてもよい。
【００１８】
吸収体４は、図２に示すように、股下部Ｃにおける吸収体４の幅方向（Ｘ向）中央部に中央低坪量部４Ａを有している。中央低坪量部４Ａは、吸収体４の長手方向（Ｙ方向）に延びて形成されている。また、吸収体４は、股下部Ｃにおける左右両側に、該吸収体の両側縁４ａ，４ａそれぞれから離間させて一対の屈曲誘導部４４，４４が設けられている。
本実施形態における吸収性コア４０は、その幅方向中央部に、コア形成材料が存在しないか、コア形成材料の坪量がその両側部分よりも低い中央非積繊部４３を有しており、吸収体４における、内部に中央非積繊部４３を有する部分が、吸収体４の中央低坪量部４Ａとなっている。
他方、本実施形態における吸収性コア４０は、長手方向の左右両側に、コア形成材料が存在しないか、コア形成材料の坪量がその両側部分よりも低い側部非積繊部４４を有しており、吸収体４における、内部に側部非積繊部４４を有する部分が、吸収体４の屈曲誘導部４Ｂ，４Ｂとなっている。
従って、本実施形態の吸収体４における中央低坪量部４Ａは、吸収性コア４０の中央非積繊部４３及びコアラップシート４５における該中央非積繊部４３の上下に位置する部分から構成され、吸収体４における屈曲誘導部４Ｂは、吸収性コア４０における側部非積繊部４４及びコアラップシート４４における該側部非積繊部４４の上下に位置する部分から構成されている。そのため、中央低坪量部４Ａと中央非積繊部４３とは、吸収体の平面視における位置及び形状が同一であり、屈曲誘導部４Ｂと側部非積繊部４４とは、吸収体の平面視における位置及び形状が同一である。
【００１９】
おむつ１における中央非積繊部４３は、図２及び図３に示すように、上部吸収層４１１及び下部吸収層４１２に、両者を貫通する長手方向（Ｙ方向）に長い矩形状の貫通口を形成してなる。
上部吸収層４１１及び下部吸収層４１２の両者を貫通する貫通口は、例えば、上部吸収層４１１及び下部吸収層４１２を、それぞれ貫通口を有するものとして製造した後、両吸収層を、両者の貫通口どうしが重なるように積層して形成される。これに代えて、上部吸収層４１１及び下部吸収層４１２を、それぞれ貫通口を有しないものとして製造した後、そのそれぞれに貫通口を形成し、次いで両吸収層を、両者の貫通口どうしが重なるように積層してなるものであっても良い。更に、上部吸収層４１１及び下部吸収層４１２を、それぞれ貫通口を有しないものとして製造した後、両吸収層を重ね、次いで、両者を貫通する貫通口を一体的に形成したものであっても良い。
【００２０】
おむつ１における中央非積繊部４３及び一対の側部非積繊部４４，４４は、図２に示すように、吸収性コア４０の長手方向（Ｙ方向）における腹側部Ａ側においては、中央非積繊部４３の端部４３ａの位置が、側部非積繊部４４それぞれの端部４４ａ，４４ａの位置より腹側部Ａ側に延出しており、吸収性コア４０の長手方向（Ｙ方向）における背側部Ｂ側においては、側部非積繊部４４それぞれの端部４４ｂ，４４ｂの位置が、それぞれ、中央非積繊部４３の端部４３ｂの位置より背側部Ｂ側に延出している。尚、中央非積繊部４３の端部４３ａは、おむつ１においては、図２に示すように、腹側部Ａに達するまで延在していない。
【００２１】
インジケーター７は、図３及び図４に示すように、おむつの長手方向（Ｙ方向）に沿って配されており、また、少なくとも股下部Ｃにおいては、おむつ長手方向中央線ＣＬと重ならないように、該中央線ＣＬの左右の何れか一方の側（図４では左側）にずらして配されている。より詳細には、複数本のインジケーター７が、その何れについても、その全長に亘って、吸収体４の中央低坪量部４Ａと重ならないように配されている。また、股下部Ｃにおいては、インジケーター７は、おむつ長手方向中央線ＣＬと屈曲誘導部４４との間に位置しており、より詳細には、中央低坪量部４Ａと屈曲誘導部４４との間に位置している。
また、おむつ１のインジケーター７は、おむつ１の長手方向（Ｙ方向）において、図４に示すように、中央非積繊部４３の腹側部Ａ側の端部４３ａ及び背側部Ｂ側の端部４３ｂそれぞれを越えて延在している。また、図４に示すように、側部非積繊部４４の腹側部Ａ側の端部４４ａ及び背側部Ｂ側の端部４４ｂそれぞれを越えて延在している。
【００２２】
おむつ１のインジケーター７，７は、長手方向中央線ＣＬと平行に配された２本の細長い線状のものであり、これら２本の細長い線状のインジケーター７それぞれが、上述した態様で配されている。尚、おむつ１のインジケーター７，７は、長手方向（Ｙ方向）においては、股下部Ｃを越えて背側部Ａ及び股下部Ｂに至るまで直線状に配されているが、中央非積繊部４３及び／又は側部非積繊部４４の長手方向（Ｙ方向）の全長に亘ってのみ配されていてもよく、吸収性コア４０の長手方向（Ｙ方向）の全長に亘って配されていてもよい。
【００２３】
また、本実施形態のおむつ１においては、図１及び図４に示すように、おむつ１の前側及び背側のそれぞれに、外部から視認可能な絵柄Ｄ１〜Ｄ４が配されている。絵柄Ｄ１〜Ｄ４は、何れも、裏面シート３の非肌対向面に印刷されている。また、それらの絵柄Ｄ１〜Ｄ４は、何れも、おむつの長手方向中央線ＣＬに対して左右非対称に配されている。
ここで、ある特定の絵柄が、おむつの長手方向中央線ＣＬに対して左右非対称に配されているとは、該中央線ＣＬに対して、該特定の絵柄とは線対称の位置に、該特定の絵柄の幅とほぼ同じ幅を有する絵柄が存在しないことを意味する。
例えば、図４に示す絵柄Ｄ１〜Ｄ４は、何れも、おむつの長手方向中央線ＣＬに対して線対称の位置に、絵柄自体が存在しないため、おむつ長手方向中央線ＣＬに対して左右非対称に配されている絵柄に該当する。また、図８（ａ）に示す絵柄Ｄ１１は、おむつの長手方向中央線ＣＬに対して対称の位置に絵柄Ｄ１２を有するが、絵柄Ｄ１２のおむつ幅方向（Ｘ方向）の幅Ｗ１２が、絵柄Ｄ１１の同方向の幅Ｗ１１に対して明らかに狭いため、絵柄Ｄ１１も、おむつ長手方向中央線ＣＬに対して左右非対称に配されている絵柄に該当する。
【００２４】
他方、図８（ｂ）に示す絵柄Ｄ１３及び図８（ｃ）に示す絵柄Ｄ１５は、何れも、おむつの長手方向中央線ＣＬに対して線対称の位置に、傾きや図案は異なるものの、Ｘ方向の幅がほぼ同じ絵柄１４，１６を有するため、該中央線ＣＬに対して左右非対称に配されている絵柄に該当しない。
ある特定の絵柄の幅と、おむつの長手方向中央線ＣＬに対して、該特定の絵柄とは線対称の位置の絵柄の幅とが、ほぼ同じ幅であるか否かは、一般消費者（例えば幼児用おむつの場合にはその幼児の母親等）の視覚による認識力を基準として判断するが、例えば、前記絵柄Ｄ１１のＸ方向の幅Ｗ１１が３〜１０ｃｍ程度である場合、前記絵柄Ｄ１２のＸ方向の幅Ｗ１２が、前記絵柄Ｄ１１の該幅Ｗ１１の９０〜１１０％であるときには、両絵柄の幅がほぼ同じである。
長手方向中央線ＣＬに対して左右非対称に配されている絵柄の幅Ｗ１１は、特に制限されないが、例えば、２〜１５ｃｍであり、幼児用のおむつの場合、好ましくは３〜１０ｃｍであり、更に好ましくは４〜８ｃｍである。
【００２５】
おむつの長手方向中央線ＣＬに対して左右非対称に配されている絵柄は、おむつの前身頃及び後身頃の何れか一方のみに配されていてもよいが、図４に示すように、前身頃及び後身頃の両方に配されていることが好ましい。
また、そのような絵柄は、前身頃に一つのみ配されていてもよいし、複数配されていてもよい。また、前身頃における股下部Ｃに位置する部分のみに配されていてもよいし、腹側部Ａに位置する部分のみに配されていてもよい。また、股下部Ｃから腹側部Ａに跨るように配されていても良い。後身頃の絵柄を配する場合も同様である。
なお、前身頃は、おむつの長手方向の全長を２等分して幅方向に延びる幅方向中央線ＷＬより腹側部Ａ側の領域であり、後身頃は、該幅方向中央線ＷＬより背側部Ｂ側の領域である。
また、本実施形態における絵柄Ｄ１〜Ｄ４及び図８（ａ）に示す絵柄Ｄ１１は、何れも、個々の絵柄のＸ方向中心位置が、おむつの長手方向中央線ＣＬから図中左方向（インジケーターがない側）にずれている。また、おむつ１は、絵柄Ｄ１〜Ｄ４は、何れも、おむつの長手方向中央線ＣＬに対して線対称の位置に移動させた場合、その絵柄と重なる部分を有する絵柄を有していない。
【００２６】
本実施形態のおむつ１によれば、前述の通り、インジケーター７が、長手方向中央線ＣＬと重ならないように、該中央線ＣＬの左右の何れか一方の側にずらして配されており、図１及び図４に示すように、おむつの外部から視認可能な絵柄Ｄ１〜Ｄ４が、該中央線ＣＬに対して左右非対称に配されているため、インジケーター７と絵柄Ｄ１〜Ｄ４との干渉を防止ないし最小限に抑制しつつ、おむつ外面に、子供や親が視認し易い大きめの絵柄を表すことができる。
【００２７】
絵柄には、文字、図形、記号又はこれらの組み合わせなどが広く包含されるが、動物、乗り物、食べ物、文字、音符、キャラクター等の特定の観念を想起させるものが好ましい。特許文献３に記載の各種のものも採用することができる。なお、絵柄は、おむつの外部から視認可能であれば、どこに表しても良い。例えば、裏面シートの非肌対向面に代えて、裏面シートの肌対向面に設けてもよい。また、裏面シートとして、樹脂フィルムと不織布等との積層シートを用いる場合、樹脂フィルムの吸収体側の面に印刷しても良いし、不織布側の面に印刷しても良い。
【００２８】
同様の観点から、絵柄Ｄ１〜Ｄ４は、中央線ＣＬに対して、インジケーター７が配された側（図４中左側）とは反対側（図４中右側）に配されていることが好ましく、該絵柄の一部が、前記中央線ＣＬと重なっていることが、子供や親がより視認し易いので好ましい。
図４中の時計の絵柄Ｄ１は、円形の内部が淡い色に着色されている。中央線ＣＬの片側に配された絵柄Ｄ１が、該中央線ＣＬの反対側に延出する距離Ｅ１は、３〜５０ｍｍであることが好ましく、より好ましくは５〜３０ｍｍである。絵柄Ｄ２，Ｄ３及びＤ４も同様であることが好ましい。
【００２９】
また、本実施形態のおむつ１によれば、股下部Ｃにおける吸収体４の幅方向中央部に、前記の中央低坪量部４Ａが形成されており、インジケーター７が、中央低坪量部４Ａと重ならないように配されているため、中央低坪量部４Ａで吸収体４が屈曲したり、該中央低坪量部４Ａを介して多量の液が、裏面シート３側に移行したりしても、インジケーター７を介した吸収体４と裏面シート３との間の接合部が剥離しにくく、剥離や剥離後の再接着等によるインジケーター７の位置ズレ等が生じにくい。
また、中央低坪量部４Ａで吸収体４が屈曲することにより着用時に中心領域が判断しやすくなり、インジケーター７の配置場所を判り易くし、インジケーター７の変色とデザインとの誤認識を防止することができる。
【００３０】
インジケーター７は、中央線ＣＬからの離間距離Ｌ５１（図４参照）が、７〜７０ｍｍであることが好ましく、より好ましくは１２〜４０ｍｍである。また、インジケーター７は、中央低坪量部４Ａからの離間距離Ｌ５２（図４参照）が、２〜６０ｍｍであることが好ましく、より好ましくは３〜３０ｍｍである。
【００３１】
また、本実施形態のおむつ１のように、股下部Ｃの左右両側に一対の屈曲誘導部４４，４４を有する場合、インジケーター７，７は、中央線ＣＬと該屈曲誘導部４４との間に配されていることが好ましい。また、本実施形態のおむつ１のように、股下部Ｃに中央低坪量部４Ａと一対の屈曲誘導部４４，４４を有する場合、インジケーター７，７は、中央低坪量部４Ａと該屈曲誘導部４４との間に配されていることが好ましい。屈曲誘導部４４，４４は、吸収体４の側部が、吸収体の幅方向中央部分に対して上方又は下方（好ましくは上方）に屈曲するのを容易とする部分であり、おむつ幅方向において、当該部分より外方にインジケーター７を設けた場合には、該インジケーター７の視認性が低下する。
【００３２】
なお、本実施形態のおむつ１における吸収体４は、インジケーター７，７を介して裏面シート３と接合されており、また、周縁部が、他のホットメルト型接着剤を介して裏面シート３と接合されている。他方、インジケーター７，７を介して接合された中央部の周囲には、全周に亘って、吸収体４と裏面シート３との間が接合されていない非接合部が形成されている。これにより、裏面シート３が透湿性を有する場合の透湿性が一層向上する。
これに対して、吸収体と裏面シートとの間の全域をベタ塗りやパターン塗工した接着剤等により接合することもできる。
【００３３】
使い捨ておむつ１は、上記の一又は二以上の効果がより確実に奏されるようにする観点等から、各部の寸法や寸法比が下記の一又は二以上を満たすことが好ましい。
図４に示すように、吸収性コア４０（吸収体４の長さと略同じ）の長さ（Ｌ）は、３００〜４５０ｍｍであることが好ましい。
また、図２に示すように、吸収性コア４０の中央非積繊部４３の長さ（Ｌ１）は、５０〜２５０ｍｍであることが好ましく、１００〜２５０ｍｍであることが更に好ましい。また、図２に示すように、吸収性コア４０の側部非積繊部４３の長さ（Ｌ１）は、５０〜２５０ｍｍであることが好ましく、１００〜２５０ｍｍであることが更に好ましい。
【００３４】
図４に示すように、インジケーター７の長さ（Ｌ２）（おむつ１においては２本のインジケーターの長さ）は、着用時の前後からインジケーター７の視認のしやすさの観点から、１００〜３５０ｍｍであることが好ましく、１５０〜３００ｍｍであることが更に好ましい。
吸収性コア４０の長さ（Ｌ）に対する中央非積繊部４３の長さ（Ｌ１）の比（Ｌ１／Ｌ）は、０．１〜０．７であることが好ましく、０．３〜０．５であることが更に好ましい。
吸収性コア４０の長さ（Ｌ）に対するインジケーター７の長さ（Ｌ２）の比（Ｌ２／Ｌ）は、０．３〜０．８であることが好ましく、０．４〜０．６であることが更に好ましい。
中央非積繊部４３の長さ（Ｌ１）に対するインジケーター７の長さ（Ｌ２）の比（Ｌ２／Ｌ１）は、０．８〜２．２であることが好ましく、１．１〜１．７であることが更に好ましい。
【００３５】
本実施形態のおむつ１におけるインジケーター７は、図４に示すように、吸収体４のＹ方向の両端が、腹側部Ａと股下部Ｃの境界部付近と、股下部Ｃと背側部Ｂとの境界部付近に位置しており、吸収体４の全長に亘っていないが、それに代えて、中央線ＣＬの片側にずらして配した１本又は複数本のインジケーター７を、吸収体４の長手方向の全長に亘るように配したり、吸収体４のＹ方向の両端のうちの一方又は双方から更にＹ方向に延出するように設けることもできる。インジケーター７を、このように塗布すること（配すること）で、デザインの干渉を受けずに片側に配置されたインジケーター７の変色を、おむつの上に着用するズボン等を脱がさなくても、上部の隙間から見える部分に変色域が配置されているので確認をしやすい。
【００３６】
また、インジケーター７を、おむつの長手方向に連続的に配するのに代えて、１本又は複数本のインジケーターを同方向に間欠的に配することもできる。例えば、インジケーター７を、吸収体４の長手方向における、腹側部Ａに位置する部分から背側部に位置する部分に亘って、部分的（間欠）に配置することもできる。
この配置することで、インジケーター７が連続的に変化をしないことから、インジケーター７が吸収体の使用部分ごとに変色することが可能であり、吸収体の使用された部分を外側からの視認のみで判りやすくすることで、母親に交換のタイミングの判断をさせやすい。
【００３７】
図３に示すように、股下部Ｃにおける吸収性コア４０（吸収性コア４０が１枚のコアラップシート４５で被覆された吸収体４の幅と略同じ）の幅（Ｗ）は、５０〜１８０ｍｍであることが好ましい。
図３に示すように、吸収性コア４０の中央非積繊部４３の幅（Ｗ１）は、１〜３０ｍｍであることが好ましく、２〜２０ｍｍであることが更に好ましい。
図３に示すように、インジケーター７の幅（Ｗ２）（おむつ１においては２本のインジケーターの合計幅）は、１〜２０ｍｍであることが好ましく、１．５〜１５ｍｍであることが更に好ましい。
吸収性コア４０の幅（Ｗ）に対する中央非積繊部４３の幅（Ｗ１）の比（Ｗ１／Ｗ）は０．０１〜０．６であることが好ましく、０．０２〜０．３であることが更に好ましい。
吸収性コア４０の幅（Ｗ）に対するインジケーター７の幅（Ｗ２）の比（Ｗ２／Ｗ）は、０．００５〜０．４であることが好ましく、０．０１〜０．２  であることが更に好ましい。
【００３８】
おむつ１は、図２及び図３に示すように、吸収体４の長手方向（Ｙ方向）に延びる両側縁部に沿って、吸収性コア４０の側部部分を立ち上げるための弾性部材９が配されている。おむつ１の弾性部材９は、吸収性コア４０を被覆するコアラップシート４５の内面及び／又は外面に沿って伸長状態で配されており、腹側部Ａ及び背側部Ｂに両端部が固定されている。
【００３９】
おむつ１は、図２，図３に示すように、吸収性本体５の両側に、防漏カフ６，６が形成されている。おむつ１の防漏カフ６は、吸収性本体５に接合された防漏カフ形成用シート６０、防漏カフ形成用シート１６０の自由端近傍に伸長状態で固定された防漏カフ形成用の弾性部材６１、及び防漏カフ６の固定端と自由端との間に伸長状態で固定された防漏カフ中間弾性部材６２を備えている。
おむつ１においては、図３に示すように、防漏カフ形成用シート６０として、所定幅の帯状の撥水性シートの１枚を、その長手方向（Ｙ方向）に沿って二つ折りして、相対向する層間をホットメルト型接着剤又は部分的な熱シール若しくは超音波シール等で接合した２層構造のシートを用いており、前述した弾性部材６１，６２は、この２層構造シートの層間に伸長状態で固定されている。
【００４０】
おむつ１においては、図３に示すように、表面シート２は、吸収体４の肌対向面側を被覆するとともに、その両側端部２１，２１が、吸収体４の非肌対向面側において、裏面シート３及び防漏カフ形成用シート６０にヒートシール等の接着剤等の公知の接合手段により接合固定されている。
【００４１】
おむつ１においては、図２，図３に示すように、外包材１０は、２枚の外包材形成用シート１１，１２と、これら２枚のシート１１，７２間に伸長状態で固定された各部の弾性部材とからなる。即ち、２枚の外包材形成用シート１１，１２間には、ウエスト開口部ＷＯの周縁部にウエストギャザーを形成するウエスト部弾性部材７３，レッグ開口部ＬＯの周縁部にレッグギャザーを形成するレッグ部弾性部材７１，及び胴回り部Ｄ（ウエスト開口部ＷＯの周縁端から下方に２０ｍｍ離間した位置からレッグ開口部ＬＯの上端までの領域）に左右に分割された状態の胴回りギャザーを形成する胴回り弾性部材９１が、それぞれ伸長状態で、ホットメルト型接着剤等の任意の接合手段により接合固定されている。
外包材形成用シート１１，１２は、その長手方向（Ｙ方向）に関し、これら２枚のシートのうちの一方又は双方が、ウエスト開口部ＷＯの周縁部において折り返され、その折り返された部分が、吸収性本体５の前後端における吸収性本体６の肌対向面側に固定されている。
【００４２】
おむつ１の各部の形成材料について説明する。
インジケーター７を構成するホットメルト組成物としては、通常、使い捨ておむつ等の吸収性物品に用いられるものであれば、特に制限なく用いることができるが、ｐＨの値が４を超えないように維持することが可能な酸性化合物であることが好ましい。酸性化合物であるホットメルト組成物としては、例えば、特開平１１−００４８５２号公報に記載の親水性組成物を用いることができる。
【００４３】
表面シート２及び裏面シート３としては、通常、使い捨ておむつ等の吸収性物品に用いられるものを、特に制限なく用いることができる。例えば、表面シート２としては、親水性且つ液透過性の不織布等を用いることができ、裏面シート３としては、液不透過性又は撥水性の樹脂フィルムや樹脂フィルムと不織布の積層体等を用いることができる。
外包材１０を構成する外包材形成用シート１１，１２としては、通常、使い捨ておむつ等の吸収性物品に用いられるものであれば、特に制限なく用いることができる。例えば、外包材形成用シート１１，１２としては、撥水性の不織布を用いることができる。
【００４４】
吸収体４の吸収性コア４０を構成する繊維集合体の繊維としては、例えば、パルプ繊維、レーヨン繊維、コットン繊維、酢酸セルロース等の親水性繊維、ポリエチレン、ポリプロピレン等のポリオレフィン系繊維、ポリエステル、ポリアミド等の縮合系繊維等を用いることできる。繊維集合体は、空気流に載せて供給した繊維材料を、所定形状の凹部内に吸引して堆積させる積繊工程を経て得られるものが好ましい。繊維材料とともに機能性材料を混合積繊したものであっても良い。機能性材料の保持形態は、２枚の繊維集合体間に挟んで保持する形態や、混合積繊して繊維間に保持させた状態等が挙げられる。繊維及び吸水性ポリマー等の機能性材料は、それぞれ、一種又は二種以上を組み合わせて用いることができる。吸収性コア４０を構成する吸水性ポリマーとしては、例えば、ポリアクリル酸ナトリウム、（アクリル酸−ビニルアルコール）共重合体、ポリアクリル酸ナトリウム架橋体、（でんぷん−アクリル酸）グラフト共重合体、（イソブチレン−無水マレイン酸）共重合体及びそのケン化物、ポリアスパラギン酸等からなる粒子等が挙げられる。吸収性本体６の吸収体４を構成するコアラップシート４５としては、ティッシュペーパー等の薄紙や透水性の不織布等が挙げられる。
【００４５】
防漏カフ形成用シート６０としては、スパンボンド・メルトブローン・スパンボンド等からなる多層構造の複合不織布、スパンボンド不織布、ヒートボンド不織布、エアスルー不織布等を用いることができる。
各部に配される弾性部材１０，６１，６２，７１，８１，９１，１２１，１２２の形態は、糸状のもの（糸ゴム等）、所定幅の帯状のもの（平ゴム等）等が好ましく、特に糸状のものが好ましい。各部に配される弾性部材１０，７３，７４，７５，１２１，１２２の素材としては、天然ゴム、スチレン−ブタジエン、ブタジエン、イソプレン、ネオプレン等の合成ゴム、ＥＶＡ、伸縮性ポリオレフィン、ウレタン等を挙げることができる。
【００４６】
次に、本発明の使い捨ておむつの製造方法の一実施態様について、図１に示す使い捨ておむつを製造する場合を例にとり説明する。但し、本発明の使い捨ておむつの製造方法においては、おむつ外部から視認可能な絵柄を設けることは必須ではない。
【００４７】
本実施形態においては、図５に示すように、外層シート１１の帯状原反１１０と、内層シート１２の帯状原反１２０とを、両シート間に、ウエスト部弾性部材５１、レッグ部弾性部材８１及び胴回り部弾性部材９１を挟みこんだ状態で重ね合わせ、ニップロール７１で上下から加圧して、両シート１１０，１２０を貼り合わせる。両シートを重ね合わせるこのようにして得られた外包材連続体１００を、搬送ロール７２（ニップロールや従動ロール等）等の公知の搬送機構を用いて、吸収性本体５との合流部Ｇ１まで搬送し、該合流部Ｇ１において、外包材連続体１００上に吸収性本体５を間欠的に接合固定する。
【００４８】
吸収性本体５は、例えば、下記のようにして製造される。
即ち、空気流に載せた繊維材料等のコア形成材料を所定形状の凹部に吸引堆積させて該凹部の形状に成形する公知の積繊機を、１台又は２台用いて、帯状のコアラップシート４５上に、上層繊維層４１２及び下層繊維層４１１からなり、中央非積繊部４３を有する吸収性コア４０を順次形成する。そして、そのコアラップシート４５の両側部を巻き上げるか、コアラップシート４５と他のコアラップシートとの間に挟んで、吸収性コア４０がコアラップシートで被覆された構成の吸収体連続体１４０を製造する。次いで、その吸収体連続体１４０に対して、表面シート２の連続体２０及び防漏カフ形成材６０等を適宜の手段で固定し、図７に示す断面構成の構造体５１を得る。
他方、裏面シート３０の帯状原反３０に、図６に示すように、ホットメルト組成物からなるインジケーター７を間欠的に所定長さに塗工する。インジケーター７は、吸収体４及び使い捨ておむつ１をそれぞれ幅方向に２等分するおむつ長手方向中央線ＣＬと一致する直線３Ｃに対して、所定幅ずらした位置に塗工する。より具体的には、構造体５１を、裏面シート３０の帯状原反３０と重ねたときに、インジケーター７が中央非積繊部４３と重ならないように、直線３Ｃから所定距離離間させて塗工する。また、インジケーター７は、帯状原反３０の搬送方向Ｆや前記直線３Ｃと平行に塗工する。
【００４９】
そして、構造体５１を、裏面シート３の帯状原反３０と重ねて加圧する。これにより、構造体５１と、裏面シート３の帯状原反３０とがインジケーター７を介して接合した長尺構造体５０が得られる。そして、長尺構造体５０を、任意の切断手段を用いて、おむつ１個分の長さに切断して、吸収性本体５（短尺構造体）を得た後、個々の吸収性本体５を、図６（ｂ）に示すようにして、吸収性本体５の表裏面に対して垂直な軸を回転軸にして９０度回転させる。換言すれば、吸収性本体５の向きを、吸収体４の向きが搬送方向Ｆに対して横向きとなる向きに変更する。この吸収性本体５（短尺構造体）の向き転換工程においては、個々の吸収性本体５を、図６（ｂ）に示すように、インジケーター７が中央低坪量部４３よりも搬送方向Ｆの後方に位置するように回転させることが重要である。
【００５０】
そして、このように回転させた吸収性本体５を、外包材連続体１００上に、順次配置し、該吸収性本体５の裏面に予め塗工した接着剤を介して、間欠的に接着固定する。そして、ロータリーカッター、レーザーカッター等により、レッグ開口部形成用のトリム１０２を除去して、おむつ連続体１０１を得る。そして、おむつ連続体１０１における外包材連続体１００の両側部１０１ａ，１０１ｂを、吸収性本体５の両端部を覆うように折り返して該両端部を固定した後、おむつ連続体１０１を２つ折りし、次いで、サイドシール部Ｓ，Ｓを、ヒートシール、超音波シール、高周波シール等により形成した後、あるいはサイドシール部Ｓ，Ｓを形成すると同時に、個々のおむつに切断することにより、パンツ型使い捨ておむつ１を得る。
吸収性本体５を９０度回転させる方法としては、各種公知の方法（又は機構）を用いることができ、例えば、特開昭６３−２５２８２４号公報、特開平３−２２６４１１号公報、特許第３１４５３７１号公報等に記載のものを用いることができる。
なお、吸収性本体５を外包材連続体１００に固定する接着剤は、吸収性本体５及び外包材連続体１００の何れか一方又は双方に塗工しておくことができる。また、レッグ開口部形成用のトリム１１２の除去は、吸収性本体５の固定前に行うこともできる。
【００５１】
このように、インジケーター７が搬送方向Ｆの後方に位置するように回転することにより、後の搬送工程において、吸収性本体５を上下から加圧しても、インジケーター７に乱れが生じなくなる。他方、インジケーター７を中央非積繊部４３と重なるように塗工したり、吸収性本体５の回転方向を逆にして、インジケーター７が搬送方向の前方に位置するようにした場合には、インジケーター７に乱れが生じる恐れが高くなる。
特に、本実施態様のように、吸収体が高坪量部を有し、該高坪量部に中央非積繊部４３を有する場合は、インジケーター７の乱れが起こりやすいが、本実施形態によれば、そのような場合においても、インジケーター７の乱れを効果的に防止することができる。
【００５２】
なお、向き転換後の吸収性本体５に対する加圧加工は、吸収性本体５を、外包材連続体１００と重ねた後の加圧加工であっても良いし、外包材連続体１００と重ねる前の搬送経路に配置したニップロール等で行っても良い。但し、本発明の製造方法は、一対のロール間で加圧する場合する場合に発生し易いインジケーターの乱れ防止に特に効果的である。なお、図５には、外包材連続体１００と重ね、更にレッグ開口部形成用のトリム１０１を除去した後に、一対のニップロール７３で、吸収性本体５を上下から加圧しているが、その加圧加工も本発明の製造方法における加圧工程の一態様である。
【００５３】
上述したパンツ型使い捨ておむつ１の製造方法に関し、特に説明しない点は、従来の、いわゆる横流れ方式のパンツ型使い捨ておむつの製造方法と同様である。
【００５４】
以上、本発明の好ましい実施形態について説明したが、本発明は、上述した実施形態に制限されず、本発明の趣旨を逸脱しない範囲で種々変更が可能である。
例えば、吸収体４は、中央低坪量部及び／又は屈曲誘導部を有しないものであっても良い。また、吸収性コア４０に、非積繊部に代えて、吸収性コア４０の長手方向に延びるスリットや、吸収性コア４０の長手方向に延びる溝を形成しても良い。内部にスリットや溝を有する部分を吸収体４の低坪量部や屈曲誘導部としても良い。また、繊維集合体やこれに機能性材料を保持させてなる単層構造の吸収性コア、該吸収性コアを含む吸収体に、エンボス加工によりエンボス溝等を設け、吸収体のエンボス溝を設けた部分や、吸収体の内部にエンボス溝を有する部分を、屈曲誘導部とすることもできる。この場合のエンボス加工は、熱エンボス加工、超音波エンボス、高周波エンボス等が好ましい。
【００５５】
インジケーターは、１本のみ設けても良いし、近接させて２本又は３本以上配しても良い。
本発明の使い捨ておむつは、パンツ型使い捨ておむつ以外にも、例えば、展開型の使い捨ておむつ等に好適に用いることができる。
また、使い捨ておむつは、幼児又は成人用の使い捨ておむつであってもよい。
【符号の説明】
【００５６】
１  使い捨ておむつ
２  表面シート
３  裏面シート
４  吸収体
４Ａ  中央低坪量部
４Ｂ，４Ｂ  屈曲誘導部
４０  吸収性コア
４１  高坪量部
４２  低坪量部
４１１  上部吸収層
４１２  下部吸収層
４３  中央非積繊部
４４  側部非積繊部
５  吸収性本体
６  防漏カフ
７  インジケーター
１０  外包材
Ａ  腹側部
Ｂ  背側部
Ｃ  股下部
Ｓ  サイドシール部
ＣＬ  おむつ長手方向中央線
【図１】
2012223231.tif 000003
【図２】
2012223231.tif 000004
【図３】
2012223231.tif 000005
【図４】
2012223231.tif 000006
【図５】
2012223231.tif 000007
【図６】
2012223231.tif 000008
【図７】
2012223231.tif 000009
【図８】
2012223231.tif 000010